(57)【特許請求の範囲】
【請求項１】
第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成方法において、
所望の内分比ｒ（０．０≦ｒ≦１．０）に従い、前記第１デバイスにより前記画像データＫのみから得られる黒色の画像の面積率を前記画像データＫ＝０％または１００％を含む範囲において保存する面積率保存変換テーブルＴ１と、前記第１デバイスにより前記画像データＫのみから得られる黒色の画像の濃度を前記画像データＫ＝０％または１００％を含む範囲において保存する濃度保存変換テーブルＴ２とを合成し、
Ｔ＝（１−ｒ）・Ｔ１＋ｒ・Ｔ２
となる変換テーブルＴを作成し、与えられた前記画像データＤを前記変換テーブルＴを用いて前記画像データＤ′に変換して前記プルーフを作成することを特徴とするプルーフ作成方法。
【請求項２】
第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成方法において、
前記変換テーブルは、前記画像データＫを前記画像データＫ′に変換する第１変換テーブルと、前記画像データＫ′毎に作成され、前記画像データＫを除く前記画像データＤを前記画像データＫ′を除く前記画像データＤ′に変換する第２変換テーブルとからなり、
前記第１変換テーブルは、所望の内分比ｒ（０．０≦ｒ≦１．０）に従い、前記第１デバイスにより前記画像データＫのみから得られる黒色の画像の面積率を前記画像データＫ＝０％または１００％を含む範囲において保存する面積率保存変換テーブルＴ１と、前記第１デバイスにより前記画像データＫのみから得られる黒色の画像の濃度を前記画像データＫ＝０％または１００％を含む範囲において保存する濃度保存変換テーブルＴ２とを合成し、
Ｔ＝（１−ｒ）・Ｔ１＋ｒ・Ｔ２
となる変換テーブルＴとして設定され、
前記第１変換テーブルを用いて、与えられた前記画像データＫから前記画像データＫ′を求め、前記画像データＫ′から前記第２変換テーブルを選択し、選択された前記第２変換テーブルを用いて、前記画像データＫを除く前記画像データＤから前記画像データＫ′を除く前記画像データＤ′を求めることを特徴とするプルーフ作成方法。
【請求項３】
第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を前記画像データＫ＝０％または１００％を含む範囲において保存する面積率保存変換テーブルＴ１と、
前記第１デバイスにより前記画像データＫのみから得られる黒色の画像の濃度を前記画像データＫ＝０％または１００％を含む範囲において保存する濃度保存変換テーブルＴ２と、
前記面積率および前記濃度の内分比ｒ（０．０≦ｒ≦１．０）を設定する内分比設定手段と、
前記内分比設定手段により設定された前記内分比ｒに従い、前記面積率保存変換テーブルＴ１および前記濃度保存変換テーブルＴ２を合成し、前記変換テーブルＴを、
Ｔ＝（１−ｒ）・Ｔ１＋ｒ・Ｔ２
として作成するテーブル合成手段と、
を備え、
与えられた前記画像データＤを前記変換テーブルＴを用いて前記画像データＤ′に変換して前記プルーフを作成することを特徴とするプルーフ作成装置。
【請求項４】
第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を前記画像データＫ＝０％または１００％を含む範囲において保存する面積率保存変換テーブルＴ１と、
前記第１デバイスにより前記画像データＫのみから得られる黒色の画像の濃度を前記画像データＫ＝０％または１００％を含む範囲において保存する濃度保存変換テーブルＴ２と、
前記面積率および前記濃度の内分比ｒ（０．０≦ｒ≦１．０）を設定する内分比設定手段と、
前記内分比設定手段により設定された前記内分比ｒに従い、前記面積率保存変換テーブルＴ１および前記濃度保存変換テーブルＴ２を合成し、前記画像データＫを前記画像データＫ′に変換する第１変換テーブルＴを、
Ｔ＝（１−ｒ）・Ｔ１＋ｒ・Ｔ２
として作成するテーブル合成手段と、
前記画像データＫ′毎に作成され、前記画像データＫを除く前記画像データＤを前記画像データＫ′を除く前記画像データＤ′に変換する第２変換テーブルと、
を備え、
前記第１変換テーブルＴを用いて、与えられた前記画像データＫから前記画像データＫ′を求め、前記画像データＫ′から前記第２変換テーブルを選択し、選択された前記第２変換テーブルを用いて、前記画像データＫを除く前記画像データＤから前記画像データＫ′を除く前記画像データＤ′を求めることを特徴とするプルーフ作成装置。
【請求項５】
第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を保存する第１変換テーブルと、
前記第１デバイスにより前記画像データＫのみから得られる黒色の画像の濃度を保存する第２変換テーブルと、
前記画像データＫ＝０％および１００％において、前記画像データＫのみから得られる黒色の画像の面積率を保存し、前記画像データＫ＝０％および１００％を除く範囲において、前記画像データＫのみから得られる黒色の画像の濃度を保存する第３変換テーブルと、
前記第１変換テーブル、前記第２変換テーブルまたは前記第３変換テーブルのいずれか１つを選択するテーブル選択手段とを備え、
前記テーブル選択手段により選択された変換テーブルにより、前記画像データＤを前記画像データＤ′に変換して前記プルーフを作成することを特徴とするプルーフ作成装置。
【発明の詳細な説明】
【０００１】
【発明の属する技術分野】
本発明は、第１デバイスにより作成される画像のプルーフを第２デバイスを用いて作成するプルーフ作成方法および装置に関する。
【０００２】
【従来の技術】
例えば、カラー画像を印刷物として作成する場合、所望の印刷物を得るためには、印刷に使用するインクの種類、印刷用紙、印刷物を観察する照明等の各種印刷条件を考慮する必要がある。これらの印刷条件を設定するためには、種々の印刷条件で印刷を行えばよいが、このような多数の印刷条件の全ての組み合わせに対応させてテスト印刷を行うことは現実的でない。テスト印刷のために多大な時間とコストを浪費することになるからである。
【０００３】
そこで、実際に印刷を行うことなく、印刷物の仕上がり状態を簡便にシミュレーションすることを可能とした印刷プルーフ作成装置が開発されている。この印刷プルーフ作成装置では、印刷物の作成に提供される印刷用画像データに対して、種々の印刷条件を考慮した変換処理を行うことで、予測される印刷物の色のデバイスインディペンデントな測色データを生成した後、この測色データを印刷プルーフ作成装置の特性を考慮したプルーフ用画像データに変換処理し、次いで、前記プルーフ用画像データに基づいてプルーフを作成するようにしている。
【０００４】
この場合、印刷条件は、印刷用画像データを測色データに変換する変換テーブルによって自由に設定することができるため、容易且つ安価にプルーフを作成し、そのプルーフから所望の印刷物を得ることのできる印刷条件を決定することが可能である。
【０００５】
ところで、カラー印刷物の全ての色は、原理的には、Ｃ（シアン）、Ｍ（マゼンタ）、Ｙ（イエロー）の３色によって形成することができるが、これらの３色を構成するインクは、必ずしも理想的な分光特性を有しているとは限らない。そこで、このような不具合を補完するために、通常、Ｋ（黒色）のインクをさらに加え、４色でカラー印刷物を形成するようにしている。従って、より高精度なプルーフを作成するため、印刷プルーフ作成装置においても、同様にして、Ｃ、Ｍ、Ｙ、Ｋの４色が用いられる。
【０００６】
この場合、色を示すデバイスインディペンデントな測色データは、例えば、ＣＩＥ表色系の測色値Ｌ*、ａ*、ｂ*や三刺激値Ｘ、Ｙ、Ｚのような３変数で表されるのに対して、プルーフ用画像データは、Ｃ、Ｍ、Ｙ、Ｋの４変数で表される。従って、測色データをプルーフ用画像データに変換するための変換テーブルは、３変数を４変数に変換する関係となるため、プルーフ用画像データを一意に決定することができない。
【０００７】
そこで、例えば、プルーフ用画像データのＫを測色値Ｌ*に対応させて予め決めておき、残りのプルーフ用画像データのＣ、Ｍ、Ｙを測色値Ｌ*、ａ*、ｂ*から求める方法が考えられる。しかしながら、この場合、文字のみの印刷物のように、印刷用画像データがＫのみであるにも拘わらず、測色値Ｌ*から対応するＣ、Ｍ、Ｙのプルーフ用画像データが生成されたり、あるいは、印刷用画像データにＫが含まれていないにも拘わらず、Ｋのプルーフ用画像データが生成される、といった事態が発生してしまうことがある。このような事態が発生すると、印刷物とプルーフとを高精度に一致させることができなくなるおそれがある。
【０００８】
一方、測色可能な黒単色の階調パターンを印刷物およびプルーフとしてそれぞれ作成し、それらを測色して得られた色彩値の明度の対応関係をＫに対して求め、この関係を元にＣ、Ｍ、Ｙ、Ｋの変換テーブルを作成するようにしたものがある（特開平１１−２７５５３号公報参照）。
【０００９】
しかしながら、前記の従来技術では、網点画像からなる印刷物とプルーフとの間のドットゲインによる面積率の相違や濃度の相違等を考慮していないため、特に、プルーフとして面積階調画像を再現する場合、再現される画像の階調特性が違ってしまうおそれがある。
【００１０】
【発明が解決しようとする課題】
本発明は、第１デバイスにより作成される画像と、第２デバイスで作成されるプルーフとを、ドットゲインによる面積率や濃度の相違を考慮し、違和感なく高精度に一致させることのできるプルーフ作成方法および装置を提供することを目的とする。
【００１１】
【課題を解決するための手段】
前記の課題を解決するために、本発明は、第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成方法において、
所望の内分比ｒ（０．０≦ｒ≦１．０）に従い、前記第１デバイスにより前記画像データＫのみから得られる黒色の画像の面積率を前記画像データＫ＝０％または１００％を含む範囲において保存する面積率保存変換テーブルＴ１と、前記第１デバイスにより前記画像データＫのみから得られる黒色の画像の濃度を前記画像データＫ＝０％または１００％を含む範囲において保存する濃度保存変換テーブルＴ２とを合成し、
Ｔ＝（１−ｒ）・Ｔ１＋ｒ・Ｔ２
となる変換テーブルＴを作成し、与えられた前記画像データＤを前記変換テーブルＴを用いて前記画像データＤ′に変換して前記プルーフを作成することを特徴とする。
また、本発明は、第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成方法において、
前記変換テーブルは、前記画像データＫを前記画像データＫ′に変換する第１変換テーブルと、前記画像データＫ′毎に作成され、前記画像データＫを除く前記画像データＤを前記画像データＫ′を除く前記画像データＤ′に変換する第２変換テーブルとからなり、
前記第１変換テーブルは、所望の内分比ｒ（０．０≦ｒ≦１．０）に従い、前記第１デバイスにより前記画像データＫのみから得られる黒色の画像の面積率を前記画像データＫ＝０％または１００％を含む範囲において保存する面積率保存変換テーブルＴ１と、前記第１デバイスにより前記画像データＫのみから得られる黒色の画像の濃度を前記画像データＫ＝０％または１００％を含む範囲において保存する濃度保存変換テーブルＴ２とを合成し、
Ｔ＝（１−ｒ）・Ｔ１＋ｒ・Ｔ２
となる変換テーブルＴとして設定され、
前記第１変換テーブルを用いて、与えられた前記画像データＫから前記画像データＫ′を求め、前記画像データＫ′から前記第２変換テーブルを選択し、選択された前記第２変換テーブルを用いて、前記画像データＫを除く前記画像データＤから前記画像データＫ′を除く前記画像データＤ′を求めることを特徴とする。
【００１２】
また、本発明は、第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を前記画像データＫ＝０％または１００％を含む範囲において保存する面積率保存変換テーブルＴ１と、
前記第１デバイスにより前記画像データＫのみから得られる黒色の画像の濃度を前記画像データＫ＝０％または１００％を含む範囲において保存する濃度保存変換テーブルＴ２と、
前記面積率および前記濃度の内分比ｒ（０．０≦ｒ≦１．０）を設定する内分比設定手段と、
前記内分比設定手段により設定された前記内分比ｒに従い、前記面積率保存変換テーブルＴ１および前記濃度保存変換テーブルＴ２を合成し、前記変換テーブルＴを、
Ｔ＝（１−ｒ）・Ｔ１＋ｒ・Ｔ２
として作成するテーブル合成手段と、
を備え、
与えられた前記画像データＤを前記変換テーブルＴを用いて前記画像データＤ′に変換して前記プルーフを作成することを特徴とする。
また、本発明は、第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を前記画像データＫ＝０％または１００％を含む範囲において保存する面積率保存変換テーブルＴ１と、
前記第１デバイスにより前記画像データＫのみから得られる黒色の画像の濃度を前記画像データＫ＝０％または１００％を含む範囲において保存する濃度保存変換テーブルＴ２と、
前記面積率および前記濃度の内分比ｒ（０．０≦ｒ≦１．０）を設定する内分比設定手段と、
前記内分比設定手段により設定された前記内分比ｒに従い、前記面積率保存変換テーブルＴ１および前記濃度保存変換テーブルＴ２を合成し、前記画像データＫを前記画像データＫ′に変換する第１変換テーブルＴを、
Ｔ＝（１−ｒ）・Ｔ１＋ｒ・Ｔ２
として作成するテーブル合成手段と、
前記画像データＫ′毎に作成され、前記画像データＫを除く前記画像データＤを前記画像データＫ′を除く前記画像データＤ′に変換する第２変換テーブルと、
を備え、
前記第１変換テーブルＴを用いて、与えられた前記画像データＫから前記画像データＫ′を求め、前記画像データＫ′から前記第２変換テーブルを選択し、選択された前記第２変換テーブルを用いて、前記画像データＫを除く前記画像データＤから前記画像データＫ′を除く前記画像データＤ′を求めることを特徴とする。
さらに、本発明は、第１デバイスで処理される黒色に対応する画像データＫを含む画像データＤを、変換テーブルを用いて第２デバイスで処理される黒色に対応する画像データＫ′を含む画像データＤ′に変換し、前記第１デバイスで作成される画像の面積階調によるプルーフを前記第２デバイスにより作成するプルーフ作成装置において、
前記第１デバイスにより前記画像データＫのみから得られる黒色の画像の面積率を保存する第１変換テーブルと、
前記第１デバイスにより前記画像データＫのみから得られる黒色の画像の濃度を保存する第２変換テーブルと、
前記画像データＫ＝０％および１００％において、前記画像データＫのみから得られる黒色の画像の面積率を保存し、前記画像データＫ＝０％および１００％を除く範囲において、前記画像データＫのみから得られる黒色の画像の濃度を保存する第３変換テーブルと、
前記第１変換テーブル、前記第２変換テーブルまたは前記第３変換テーブルのいずれか１つを選択するテーブル選択手段とを備え、
前記テーブル選択手段により選択された変換テーブルにより、前記画像データＤを前記画像データＤ′に変換して前記プルーフを作成することを特徴とする。
【００１３】
この場合、少なくとも、画像データＫ＝０％または１００％において、ドットゲインの影響を考慮した高精度なプルーフを得ることができる。
【００１４】
【発明の実施の形態】
図１は、本実施形態の印刷プルーフ作成装置１０の全体構成ブロック図である。
【００１５】
印刷プルーフ作成装置１０は、Ｃ（シアン）、Ｍ（マゼンタ）、Ｙ（イエロー）、Ｋ（黒色）に分解された印刷用画像データＣ、Ｍ、Ｙ、Ｋ（画像データＤ）に基づいて印刷機１２（第１デバイス）により作成される印刷物のプルーフを作成するもので、前記印刷用画像データＣ、Ｍ、Ｙ、Ｋをプルーフ用画像データＣ′、Ｍ′、Ｙ′、Ｋ′（画像データＤ′）に変換する画像データ変換部１４を有し、この画像データ変換部１４で作成されたプルーフ用画像データＣ′、Ｍ′、Ｙ′、Ｋ′を網点画像を出力可能なプリンタ１６（第２デバイス）によって処理することでプルーフが作成される。
【００１６】
画像データ変換部１４は、印刷用画像データＣ、Ｍ、Ｙ、Ｋをデバイスインディペンデントな画像データであるＣＩＥ表色系の測色データＬ*、ａ*、ｂ*に変換する印刷プロファイル１８と、測色データＬ*、ａ*、ｂ*をプリンタ１６の出力特性に応じたプルーフ用画像データＣ′、Ｍ′、Ｙ′に変換するプリンタプロファイル２０（第２変換テーブル）と、印刷用画像データＫによる印刷物上での面積率をプルーフ上で忠実に再現することのできるプルーフ用画像データＫ′を得る面積率保存Ｋ階調変換テーブル２２（第１変換テーブル）とから基本的に構成される。
【００１７】
印刷プロファイル１８は、印刷機１２の印圧を含む特性、印刷に使用されるインクの特性、印刷用紙の種類等の印刷条件に対応して設定される変換テーブルであり、各印刷条件の組み合わせに対応して選択可能な状態で複数設定される。なお、印刷プロファイル１８は、例えば、印刷用画像データＣ、Ｍ、Ｙ、Ｋから印刷機１２によって所定の印刷条件で印刷された印刷物の測色データＬ*、ａ*、ｂ*を測色して求め、前記印刷用画像データＣ、Ｍ、Ｙ、Ｋを前記測色データＬ*、ａ*、ｂ*に変換する関係として求めることができる。
【００１８】
プリンタプロファイル２０は、プリンタ１６の出力特性に対応して設定される変換テーブルであり、図２に示すフローチャートに従って求められる。
【００１９】
先ず、プルーフ用画像データＫ′を面積率で０％とし、残りのプルーフ用画像データＣ′、Ｍ′、Ｙ′を１０％刻みとした複数のプルーフ用画像データＣ′、Ｍ′、Ｙ′、Ｋ′を生成し（ステップＳ１）、このプルーフ用画像データＣ′、Ｍ′、Ｙ′、Ｋ′を用いてプリンタ１６により複数のパッチからなるチャートを出力する（ステップＳ２）。次いで、各パッチの測色データＬ*、ａ*、ｂ*を測色計を用いて測色する（ステップＳ３）。そして、前記プルーフ用画像データＣ′、Ｍ′、Ｙ′、Ｋ′（０％）を前記測色データＬ*、ａ*、ｂ*に変換する順変換テーブルＬＵＴ（Ｃ′Ｍ′Ｙ′Ｋ′→Ｌａｂ）を求める（ステップＳ４）。
【００２０】
次に、前記順変換テーブルＬＵＴ（Ｃ′Ｍ′Ｙ′Ｋ′→Ｌａｂ）を用いて、プルーフ用画像データＫ′（０％）に対する測色データＬ*、ａ*、ｂ*をプルーフ用画像データＣ′、Ｍ′、Ｙ′に変換する逆変換テーブルＬＵＴ（ＬａｂＫ′→Ｃ′Ｍ′Ｙ′）を求める（ステップＳ５）。この場合、逆変換テーブルＬＵＴ（ＬａｂＫ′→Ｃ′Ｍ′Ｙ′）は、逐次近似法の代表例であるニュートン法を用いて求めることができる。
【００２１】
次いで、プルーフ用画像データＫ′を面積率で１０％、２０％、…、１００％とし（ステップＳ６）、同様にしてステップＳ１〜Ｓ５の処理を繰り返すことにより、一定のプルーフ用画像データＫ′に対する測色データＬ*、ａ*、ｂ*をプルーフ用画像データＣ′、Ｍ′、Ｙ′に変換する逆変換テーブルＬＵＴ（ＬａｂＫ′→Ｃ′Ｍ′Ｙ′）をそれぞれ求める（ステップＳ７）。このようにして求められた複数の逆変換テーブルＬＵＴ（ＬａｂＫ′→Ｃ′Ｍ′Ｙ′）がプリンタプロファイル２０として設定される。
【００２２】
面積率保存Ｋ階調変換テーブル２２は、プリンタ１６の出力特性に応じて印刷用画像データＫを階調変換し、プルーフ用画像データＫ′を作成する変換テーブルであり、印刷用画像データＫのみによって作成された印刷物の網点面積率と、プルーフ用画像データＫ′のみによって作成されたプルーフの網点面積率とが等しくなるように設定される。
【００２３】
すなわち、印刷機１２によって作成された印刷物と、プリンタ１６によって作成されたプルーフとでは、使用するインキや用紙が異なるため、ドットゲインに差異が生じる。従って、印刷用画像データＫとプルーフ用画像データＫ′とを等しく設定すると、再現される画像の階調特性が違ってしまう。そこで、ドットゲインの差異によらず印刷物とプルーフとで網点面積率が等しくなるように、印刷条件およびプルーフ条件の組み合わせ毎に、面積率保存Ｋ階調変換テーブル２２を、例えば、図３の実線で示すように設定する。なお、文字や線画のように、印刷用画像データＫの網点面積率が０％または１００％の場合には、プルーフ用画像データＫ′の網点面積率も０％または１００％となるように設定しておく。これによって、文字や線画がかすれるような不具合を回避することができる。この場合、面積率保存Ｋ階調変換テーブル２２は、印刷条件およびプルーフ出力条件に応じて選択可能な状態で複数設定される。
【００２４】
本実施形態の印刷プルーフ作成装置１０は、基本的には、以上のように構成されるものであり、次に、それを用いたプルーフ作成方法について説明する。
【００２５】
先ず、前記のようにして作成された印刷プロファイル１８、プリンタプロファイル２０および面積率保存Ｋ階調変換テーブル２２が画像データ変換部１４に設定された状態において、任意の印刷用画像データＣ、Ｍ、Ｙ、Ｋを画像データ変換部１４に供給する。
【００２６】
供給された印刷用画像データＣ、Ｍ、Ｙ、Ｋは、印刷条件に応じて選択された印刷プロファイル１８により、測色データＬ*、ａ*、ｂ*に変換される。また、印刷用画像データＫは、印刷条件およびプルーフ出力条件に応じて選択された面積率保存Ｋ階調変換テーブル２２により、プリンタ１６で出力する黒色を生成するためのプルーフ用画像データＫ′に変換される。
【００２７】
次に、プルーフ用画像データＫ′に対して設定されたプリンタプロファイル２０がプルーフ用画像データＫ′によって選択され、このプリンタプロファイル２０により、測色データＬ*、ａ*、ｂ*がプルーフ用画像データＣ′、Ｍ′、Ｙ′に変換される。なお、画像データ変換部１４における印刷プロファイル１８およびプリンタプロファイル２０を、例えば、網点面積率として１０％刻みで作成した場合には、補間処理等によってその間のデータを得ることができる。
【００２８】
画像データ変換部１４で変換して得られたプルーフ用画像データＣ′、Ｍ′、Ｙ′、Ｋ′は、プリンタ１６に供給され、これによってプルーフが作成される。
【００２９】
このようにして作成されたプルーフは、特に、黒色（Ｋ′）が他の色（Ｃ′、Ｍ′、Ｙ′）に依存することなく独立に作成されているので、印刷物と比較して違和感のない画像を得ることができる。また、黒色に対して網点面積率の保存されたプルーフが得られるので、特に、黒のみからなる網点画像を再現する場合において、忠実なプルーフを得ることができる。さらに、図３に示すように、網点面積率が０％または１００％の印刷用画像データＫを網点面積率０％または１００％のプルーフ用画像データＫ′に変換するように設定しているので、プルーフにおいて文字や線画がかすれるといった事態を回避することができる。
【００３０】
なお、上述した実施形態においては、印刷プロファイル１８、プリンタプロファイル２０および面積率保存Ｋ階調変換テーブル２２をそれぞれ独立の変換テーブルとして設定し、各変換テーブルにより画像データの変換処理を逐次行うようにしているが、例えば、印刷プロファイル１８および面積率保存Ｋ階調変換テーブル２２が選択された段階で、図４に示すように、選択された印刷プロファイル１８、面積率保存Ｋ階調変換テーブル２２およびプリンタプロファイル２０を１つの変換テーブルからなるデバイスリンクプロファイル２４として合成し、この合成されたデバイスリンクプロファイル２４を用いて処理を行うようにすれば、画像データ変換部１４における変換処理を迅速に行うことができる。
【００３１】
ここで、上述した実施形態では、印刷用画像データＫをプルーフ用画像データＫ′に変換する際、印刷物とプルーフとの網点面積率を一致させることのできる面積率保存Ｋ階調変換テーブル２２を用いているが、印刷物とプルーフとの濃度を一致させることのできる濃度保存Ｋ階調変換テーブルを用いるようにしてもよい。すなわち、網点面積率で考えた場合、印刷物での１００％の網点面積率からなる画像の濃度と、プルーフでの１００％の網点面積率からなる画像とで濃度が相当に異なることがある。この場合、図３に示す面積率保存Ｋ階調変換テーブル２２では、画像全体の濃度が異なって再現されてしまう。そこで、図５に示す特性からなる濃度保存Ｋ階調変換テーブルを設定し、この変換テーブルを用いて印刷用画像データＫをプルーフ用画像データＫ′に変換するようにすれば、黒色に対して濃度の一致したプルーフを得ることができる。
【００３２】
ところで、前記の濃度保存Ｋ階調変換テーブルにおいては、プリンタ１６が網点画像を形成する場合、網点面積率が１００％の印刷用画像データＫに対して、濃度は一致するが、網点面積率が１００％のプルーフ用画像データＫ′を得ることができなくなるおそれがある。そこで、これらを両立させるため、図６に示すように、１００％の印刷用画像データＫに対しては、１００％のプルーフ用画像データＫ′を対応させることで網点面積率を一致させ、その他については、濃度を一致させるようにした濃度保存Ｋ階調変換テーブルを用いるようにしてもよい。
【００３３】
図６に示すように設定した濃度保存Ｋ階調変換テーブルを用いた場合、濃度を高精度に一致させることのできるプルーフを得ることができるとともに、文字や線画のような網点面積率が０％または１００％となる画像を高精度に再現することができる。なお、カラーの自然画においては、網点面積率が１００％の画像が実際上含まれないと考えられるので、このように１００％近傍で急激に網点面積率を変化させたとしても、再現画像にトーンジャンプが出現してしまうおそれはない。
【００３４】
ここで、図７に示すように、図３に示す変換特性からなる面積率保存Ｋ階調変換テーブル２２（第１変換テーブル）、図５に示す変換特性からなる第１濃度保存Ｋ階調変換テーブル２６（第２変換テーブル）および図６に示す変換特性からなる第２濃度保存Ｋ階調変換テーブル２８（第３変換テーブル）を切換器２９（テーブル選択手段）により選択するように印刷プルーフ作成装置３０を構成することができる。このように印刷プルーフ作成装置３０を構成することにより、作業者は、印刷しようとする画像の特性に応じた最適なプルーフを作成することができる。
【００３５】
なお、第１濃度保存Ｋ階調変換テーブル２６と第２濃度保存Ｋ階調変換テーブル２８とは、図５および図６に示すように、網点面積率が１００％の点においてのみ異なっているに過ぎないため、例えば、印刷用画像データＫの網点面積率が１００％であるか否かを判定し、１００％の場合には、第１濃度保存Ｋ階調変換テーブル２６によらず、印刷用画像データＫによってプリンタプロファイル２０を選択するようにすればよい。このように構成することにより、第２濃度保存Ｋ階調変換テーブル２８を省略し、データ容量を低減させることができる。
【００３６】
また、印刷用画像データＫの網点面積率が１００％の場合には、他の印刷用画像データＣ、Ｍ、Ｙがどのようなデータであってもプルーフが黒色となるはずであるから、印刷用画像データＣ、Ｍ、Ｙ、Ｋ＝プルーフ用画像データＣ′、Ｍ′、Ｙ′、Ｋ′として、画像データ変換部１４を通さずにプリンタ１６に直接印刷用画像データＣ、Ｍ、Ｙ、Ｋを供給するように構成してもよい。
【００３７】
さらに、図８および図９に示すように、印刷用画像データＫに応じて網点面積率と濃度との内分比ｒを設定し、この内分比ｒに従って印刷用画像データＫの変換テーブルであるＫ階調変換テーブルＴを作成することもできる。
【００３８】
すなわち、印刷用画像データＫの全範囲（０％〜１００％）において網点面積率を保存することのできる面積率保存変換テーブルＴ１（図３）と、印刷用画像データＫの全範囲（０％〜１００％）において濃度を保存することのできる濃度保存変換テーブルＴ２（図５）とを用意する。一方、内分比設定部３１は、作業者からの指示に従って内分比ｒ（０．０≦ｒ≦１．０）を設定し、テーブル合成部３２に出力する。テーブル合成部３２は、面積率保存変換テーブルＴ１および濃度保存変換テーブルＴ２を内分比ｒに従って合成し、
Ｔ＝（１−ｒ）・Ｔ１＋ｒ・Ｔ２
となるＫ階調変換テーブルＴを作成する。
【００３９】
前記のようにして設定されたＫ階調変換テーブルＴを用いて、印刷用画像データＫをプルーフ用画像データＫ′に変換することにより、網点面積率および濃度の両方が適度に保存されたプルーフ画像を得ることができる。
【００４０】
なお、濃度保存変換テーブルＴ２として、図６に示す特性のテーブルを設定すれば、Ｋ＝１００％のとき、内分比ｒによらず、Ｋ′＝１００％となる面積率の保存されたプルーフ用画像データＫ′を得ることができる。
【００４１】
上述した各実施形態においては、プリンタプロファイル２０の作成に際して、プルーフ用画像データＣ′、Ｍ′、Ｙ′、Ｋ′をそれぞれ１０％ずつ変更してチャートを作成するようにしているが、例えば、０％、２５％、５０％、１００％のように、明るい方の色に対しては細かく設定し、暗い方の色に対して粗く設定し、その間を補間処理によって求めるようにしてもよい。すなわち、図１０に示すように、プルーフ用画像データＫ′が小さい場合には、明度が大きく、測色データＬ*の変化に対するプルーフ用画像データＣ′の変化が大きいため、細かい間隔でプルーフ用画像データＣ′、Ｍ′、Ｙ′、Ｋ′を設定しておく必要がある。これに対して、図１１に示すように、プルーフ用画像データＫ′が大きい場合には、明度が小さく、測色データＬ*の変化に対するプルーフ用画像データＣ′の変化が小さいため、プルーフ用画像データＣ′、Ｍ′、Ｙ′、Ｋ′を粗く設定しても精度上の問題は生じることがない。特に、プルーフ用画像Ｋ′＝１００％の場合には、印刷用画像データＣ、Ｍ、Ｙ＝プルーフ用画像データＣ′、Ｍ′、Ｙ′としてもよい。
【００４２】
なお、上述した各実施形態では、デバイスインディペンデントな画像データとして、ＣＩＥ表色系の測色データＬ*、ａ*、ｂ*を用いているが、他のデバイスインディペンデントな画像データ、例えば、三刺激値データＸ、Ｙ、Ｚを用いるようにしてもよい。
【００４３】
【発明の効果】
以上のように、本発明によれば、第１デバイスで得られる黒色に対する第２デバイスでのプルーフを、ドットゲインの相違によらず面積率や画像濃度を保存した状態で作成することができる。従って、例えば、文字や線画のような黒色のみからなる画像や、黒色を全く含まない画像に対して、違和感なく、高精度に一致したプルーフが得られる。
【図面の簡単な説明】
【図１】本発明の印刷プルーフ作成装置の概略構成ブロック図である。
【図２】図１に示す印刷プルーフ作成装置を構成するプリンタプロファイルの作成方法のフローチャートである。
【図３】図１に示す印刷プルーフ作成装置を構成する面積率保存Ｋ階調変換テーブルの説明図である。
【図４】図１に示す印刷プルーフ作成装置を構成する画像データ変換部の他の構成の説明図である。
【図５】濃度を完全に保存することのできる第１濃度保存Ｋ階調変換テーブルの説明図である。
【図６】０％および１００％において面積率を保存する一方、他の部分で濃度を保存することのできる第２濃度保存Ｋ階調変換テーブルの説明図である。
【図７】本発明の印刷プルーフ作成装置の他の実施形態の概略構成ブロック図である。
【図８】内分比を用いてＫ階調変換テーブルを作成する実施形態の構成ブロック図である。
【図９】内分比を用いて作成されるＫ階調変換テーブルの説明図である。
【図１０】黒色の面積率が０％の場合における明度とプルーフ用画像データとの関係説明図である。
【図１１】黒色の面積率が８０％の場合における明度とプルーフ用画像データとの関係説明図である。
【符号の説明】
１０、３０…印刷プルーフ作成装置    １２…印刷機
１４…画像データ変換部              １６…プリンタ
１８…印刷プロファイル              ２０…プリンタプロファイル
２２…面積率保存Ｋ階調変換テーブル  ２４…デバイスリンクプロファイル
２６…第１濃度保存Ｋ階調変換テーブル
２８…第２濃度保存Ｋ階調変換テーブル
２９…切換器                        ３１…内分比設定部
３２…テーブル合成部
【図１】
0003998875.tif 000002
【図２】
0003998875.tif 000003
【図３】
0003998875.tif 000004
【図４】
0003998875.tif 000005
【図５】
0003998875.tif 000006
【図６】
0003998875.tif 000007
【図７】
0003998875.tif 000008
【図８】
0003998875.tif 000009
【図９】
0003998875.tif 000010
【図１０】
0003998875.tif 000011
【図１１】
0003998875.tif 000012